(57)【要約】【課題】ＬＥＤを光源とするシーリングライトにおいて、光の照射の均斉を損なわずにＬＥＤユニットを交換できるようにする。【解決手段】シーリングライト１は、中央に電源部１２を有する、天井に対して取付け可能な本体１０と、電源部１２の周りに独立して配置された、発光ダイオードを用いた複数の発光部２１を有する環状部材２０と、環状部材２０を覆うよう本体１０に対して着脱可能でありかつ発光部２１から照射される光を透過可能なカバー３０を備えている。環状部材２０は、電源部１２に対して着脱可能に接続され、かつ、複数の支持具１５により本体１０に対して着脱可能に装着されており、発光部２１や電流回路などに不具合が生じたときに交換可能である。【選択図】図２
2015079688.tif 000002
【特許請求の範囲】
【請求項１】
中央に電源部を有する、天井に対して取付け可能な本体と、
前記電源部に対して着脱可能に接続されかつ前記電源部の周りに独立して配置された、発光ダイオードを用いた複数の発光部を有する環状部材とを備え、
前記環状部材は前記本体に対して着脱可能に装着されている、
シーリングライト。
【請求項２】
前記環状部材は板状に形成されており、その下面に前記発光部が千鳥状に配置されている、請求項１に記載のシーリングライト。
【請求項３】
前記環状部材を覆うよう前記本体に対して着脱可能でありかつ前記発光部から照射される光を透過可能なカバーをさらに備えている、請求項１または２に記載のシーリングライト。
【請求項４】
前記環状部材が円環状でありかつ前記カバーが円形状である、請求項３に記載のシーリングライト。
【請求項５】
前記環状部材が多角形の環状でありかつ前記カバーが前記環状部材に対応する多角形状である、請求項３に記載のシーリングライト。
【発明の詳細な説明】
【技術分野】
【０００１】
本発明は、シーリングライト、特に、発光ダイオードを用いた発光部を有するシーリングライトに関する。
【背景技術】
【０００２】
室内の天井に取付け可能な照明器具であるシーリングライトは、蛍光灯を光源とするものが主流であったが、数年前から発光ダイオード（ＬＥＤ）を光源とするものが市販され始め、現在のシーリングライト市場での販売数量は、ＬＥＤによるものが蛍光灯によるものを既に凌駕している。
【０００３】
ＬＥＤを光源とする一般的なシーリングライトは、例えば特許文献１に記載のように、天井に設けられた電源コンセントである引っ掛けローゼットに対して取付け可能な本体と、当該本体に対して装着された、電源部（ＬＥＤドライバ）を有するＬＥＤユニットと、当該ＬＥＤユニットを覆うように本体に対して装着されたカバーとを備えている。ＬＥＤユニットは、通常、光照射の均斉を達成できるよう、板状の部材に多数のＬＥＤを配列したものであり、また、本体への取付け方法や電源部に対する配置等が工夫されている。
【０００４】
この種のシーリングライトは、蛍光灯を用いたものとは異なり、ＬＥＤユニットを本体や電源部と一体化しているなど、ＬＥＤユニットの交換を予定して設計されていない。これは、ＬＥＤの寿命が４０，０００時間程度であり、蛍光灯と比較にならない程の長寿命であることから、安全性等の観点による電源部およびその他の電気部品の現実的な寿命（通常はＬＥＤより短命である。）を考慮したとき、ＬＥＤユニットを交換する必要性に乏しいと考えられているためである。したがって、ＬＥＤを用いたシーリングライトは、ＬＥＤの一部またはＬＥＤユニットのみに不具合が生じた場合においても、その不具合の解消のために全体を交換する必要があり、メーカー各社もそのように推奨している。
【０００５】
しかし、蛍光灯の交換が常識的であった消費者にとって、蛍光灯に相当するＬＥＤユニットのみを交換できないのは違和感がある。また、購入後の短期間のうちにＬＥＤまたはその周辺回路の一部に不具合が生じることもあり、そのような場合においてもシーリングライトの全体を交換する必要があるのは、消費者の経済的負担を高めることになる。
【先行技術文献】
【特許文献】
【０００６】
【特許文献１】特開２０１２−１８１９８２号公報
【発明の概要】
【発明が解決しようとする課題】
【０００７】
本発明は、ＬＥＤを光源とするシーリングライトにおいて、光の照射の均斉を損なわずにＬＥＤユニットを交換できるようにするものである。
【課題を解決するための手段】
【０００８】
本発明のシーリングライトは、中央に電源部を有する、天井に対して取付け可能な本体と、電源部に対して着脱可能に接続されかつ電源部の周りに独立して配置された、発光ダイオードを用いた複数の発光部を有する環状部材とを備えており、環状部材が本体に対して着脱可能に装着されている。
【０００９】
このシーリングライトは、複数の発光部を有する環状部材を本体の中央の電源部の周りに備えているため、天井付近から均斉に光を照射することができる。そして、環状部材は、電源部および本体に対して着脱可能であるため、発光部の発光ダイオード等に不具合が生じたときなどに容易に交換することができる。
【００１０】
本発明のシーリングライトにおいて、環状部材は、例えば、板状に形成されており、その下面に発光部が千鳥状に配置されている。
【００１１】
また、本発明のシーリングライトは、通常、環状部材を覆うよう本体に対して着脱可能でありかつ発光部から照射される光を透過可能なカバーをさらに備えている。この場合、例えば、環状部材が円環状でありかつカバーが円形状であるか、或いは、環状部材が多角形の環状でありかつカバーが環状部材に対応する多角形状である。
【発明の効果】
【００１２】
本発明のシーリングライトは、光の照射の均斉を損なわずに、発光ダイオードを用いた発光部を有する部材を交換することができる。
【図面の簡単な説明】
【００１３】
【図１】本発明の一形態に係るシーリングライトの斜視図。
【図２】前記シーリングライトの分解斜視図。
【図３】前記シーリングライトの底面透過図。
【図４】前記シーリングライトの変形例の図３に相当する図。
【発明を実施するための形態】
【００１４】
図を参照し、本発明の実施の一形態に係るシーリングライトを説明する。この形態のシーリングライト１は、図１に示すように、屋内の天井に設置された、電源コンセントとシーリングライト１の支持具とを兼ねた引っ掛けローゼット２に対して装着可能なものであり、リモコン（図示省略）により点灯・消灯等の動作を制御可能なものである。
【００１５】
シーリングライト１は、図２に示すように、本体１０、環状部材２０およびカバー３０を主に備えている。
【００１６】
本体１０は、金属や樹脂などの成形可能な材料を用いて形成された円板状に形成されており、外周部に垂れ下がった壁部１１を有している。また、本体１０は、下面の中央において、下方に突出する円柱状の電源部１２を有している。電源部１２は、交流電流を直流電流に変換するコンバーターであるとともに、発光ダイオードを安定に駆動可能な高出力インピーダンスの定電流源（いわゆるＬＥＤドライバ）として機能するものであり、電流の出力ケーブル１３を備えている。出力ケーブル１３は、先端にメス型コネクタ１４を有している。また、電源部１２は、リモコンからの指令の受信部を備えており、リモコンからの指令に応じてシーリングライト１の点灯・消灯等の動作を制御する制御装置を兼ねている。
【００１７】
本体１０は、環状部材２０を支持するための複数の支持具１５を有している。各支持具１５は、電源部１２の周りに千鳥状に配置されており、一端に旋回軸１６を有する爪状の部材である。そして、各支持具１５は、本体１０の下面に対して隙間を設けて旋回軸１６により回転可能に支持されている。
【００１８】
本体１０は、上面（天井側）の中央において、アダプター（図示省略）を有している。このアダプターは、引っ掛けローゼット２に対して本体１０を安定に装着するとともに、引っ掛けローゼット２と電源部１２とを電気的に接続するためのものである。
【００１９】
環状部材２０は、例えばアルミニウム等の放熱性に優れた軽量金属製の板状部材であって円環状に形成されており、発光ダイオードを光源として用いた発光部２１を複数有している。各発光部２１は、環状部材２０の下面側において、内周側と外周側とに順次位置するよう千鳥状に配置されており、環状部材２０に敷設された電流回路（図示省略）に接続されている。この電流回路は、環状部材２０の内周側から延びる入力ケーブル２２に連絡している。入力ケーブル２２は、出力ケーブル１３のメス型コネクタ１４に対して着脱可能なオス型コネクタ２３を先端に有しており、このオス型コネクタ２３とメス型コネクタ１４との連結により電源部１２と電気的に接続されている（図３）。
【００２０】
環状部材２０は、図３に示すように、本体１０の下面において、電源部１２の周りに独立して配置されており、支持具１５と本体１０の下面との隙間に挟まれることで支持されている。各支持具１５は、図３に実線と一点鎖線とで示すように旋回可能であり、一点鎖線の状態で本体１０の所定部位に環状部材２０を配置した後に実線状態に旋回すると、本体１０の下面との隙間に環状部材２０を挟み込んで支持することができる。
【００２１】
カバー３０は、環状部材２０を覆うとともに、シーリングライト１に意匠性を付与するためのものであり、枠部３１と透光部３２とを有している。枠部３１は、本体１０に対応する環状の部材であり、本体１０の上面周縁部から壁部１１に対して係合可能なブラケット（図示省略）を有している。透光部３２は、環状部材２０の発光部２１から照射される光を透過可能な半透明の樹脂からなる球面状に形成されており、周縁部が枠部３１に固定されている。
【００２２】
カバー３０は、枠部３１のブラケットを本体１０に係合させることで本体１０に対して結合されており、これによって環状部材２０を覆っている。また、カバー３０は、ブラケットと本体１０との係合を解除すると、本体１０から取り外し可能である。
【００２３】
シーリングライト１は、通常、環状部材２０を装着した本体１０をアダプターにより天井に設置された引っ掛けローゼット２対して取付けた後、本体１０に対してカバー３０を装着することで天井に取付けることができる。そして、天井に取付けられたシーリングライト１は、リモコン操作により点灯や消灯を制御される。
【００２４】
リモコンからシーリングライト１に対して点灯指令を送信したとき、電源部１２が作動し、引っ掛けローゼット２からの交流電流が電源部１２において直流電流に変換されるとともに高出力インピーダンスの定電流として出力ケーブル１３、入力ケーブル２２および環状部材２０の電流回路を通じて各発光部２１の発光ダイオードに流れ、各発光部２１が点灯する。
【００２５】
ここで、環状部材２０は、円板状の本体１０の中央に配置された電源部１２の周りに配置されており、特に、その下面に発光部２１を千鳥状に有しているため、カバー３０を通じて灯りを均斉に照射することができる。
【００２６】
シーリングライト１は、環状部材２０において一部の発光部２１や電流回路等に不具合等が生じたとき、環状部材２０のみを問題のない別の環状部材２０に交換することができる。環状部材２０を交換するときは、先ず、本体１０からカバー３０を取り外す。次に、入力ケーブル２２を出力ケーブル１３から取り外し、各支持具１５を図３の一点鎖線に示す状態に旋回すると、環状部材２０を本体１０から取り外すことができる。そして、この取り外し手順と逆の手順で別の環状部材２０を本体１０に対して装着した後、本体１０にカバー３０を装着する。
【００２７】
このように環状部材２０を交換したシーリングライト１は、構造の変更を伴うものではないため、光の照射の均斉を環状部材２０の交換前と同様に維持することができる。
【００２８】
なお、シーリングライト１は、発光部２１の色調が異なる環状部材２０を数種類用意しておくと、環状部材２０の交換により使用者の気分や好みに応じて異なる色調に変更することもできる。
【００２９】
シーリングライト１において、本体１０、環状部材２０およびカバー３０は、円形状以外の形状、例えば、三角形、四角形、五角形または六角形などの多角形状にすることもできる。例えば、図４に示すように、本体１０を四角形に形成し、環状部材２０を本体１０に対応する四角形の環状に、また、カバー３０を環状部材２０に対応する四角形状に形成することができる。
【００３０】
また、シーリングライト１は、カバー３０が省略されていてもよいし、電源部１２から延びる電気コードを天井に設置された引っ掛けローゼット２に連結することで天井から釣り下げる形態のものであってもよい。
【符号の説明】
【００３１】
１  シーリングライト
１０  本体
１２  電源部
２０  環状部材
２１  発光部
３０  カバー
【図１】
2015079688.tif 000003
【図２】
2015079688.tif 000004
【図３】
2015079688.tif 000005
【図４】
2015079688.tif 000006